(57)【特許請求の範囲】
【請求項１】
給水管により供給された水を加熱手段により加熱する熱交換器と、該熱交換器で加熱された湯が出湯される給湯管と、該給湯管から給湯される湯の温度を検出する給湯温度検出手段と、前記熱交換器の出口付近の湯の温度を検出する熱交温度検出手段と、前記給水管を通過する流水の有無を検出する流水センサと、
該流水センサにより流水が検出されているときに、前記給湯温度検出手段の検出温度が所定の給湯設定温度と一致するように前記加熱手段の加熱量を調節する給湯制御と、前記流水センサにより流水が検出されていないときに、前記熱交温度検出手段の検出温度が所定の保温設定温度と一致するように前記加熱手段を作動させる保温制御とを行なう給湯制御手段と、
該給湯制御手段を作動可能状態と停止状態とに切り替える運転スイッチと、該給湯制御手段が作動可能状態であるときに、前記給湯制御手段に対して前記保温制御の開始と停止とを指示する保温スイッチとを備えた給湯装置において、
前記保温スイッチに、前記給湯制御手段が停止状態であるときに該保温スイッチが操作されたときには、前記保温制御の予約実行を有効とする機能を持たせ、
該保温スイッチにより前記保温制御の予約実行が有効とされた後に、前記給湯制御手段を作動可能状態とし、その後所定の保温予約時刻となったときに、前記保温制御の開始を前記給湯制御手段に指示する保温予約制御手段を設けたことを特徴とする給湯装置。
【請求項２】
前記熱交換器で加熱された湯を浴槽に供給する湯張り管と、該湯張り管を介して浴槽に所定量の湯を供給する湯張り制御を行う湯張り制御手段と、
所定の湯張り予約時刻となったときに、前記湯張り制御手段に対して前記湯張り制御の開始を指示する湯張り予約制御手段と、
前記湯張り予約時刻と前記保温予約時刻とを設定する予約時刻設定スイッチと、
前記給湯制御手段が作動状態であるときに操作されたときは、前記予約時刻設定スイッチによる前記湯張り予約時刻の設定を可能とし、前記給湯制御手段が停止状態であるときに操作されたときには、前記予約時刻設定スイッチによる前記保温予約時刻の設定を可能とする予約時刻変更スイッチと、
前記給湯制御手段が作動状態であるときは前記湯張り予約時刻を表示し、前記給湯制御手段が停止状態であるときには前記保温予約時刻を表示する予約時刻表示手段とを備えたことを特徴とする請求項１記載の給湯装置。
【請求項３】
前記給湯制御手段が作動可能状態であるときは、前記保温スイッチにより前記保温制御の開始指示がなされたときに点灯し、且つ前記保温スイッチにより前記保温制御の停止指示がなされたときに消灯し、
また、前記給湯制御手段が停止状態であるときには、前記保温スイッチにより前記保温制御の予約実行が有効とされたときに点灯する保温表示手段を備えたことを特徴とする請求項１又は２記載の給湯装置。
【請求項４】
前記保温予約制御手段は、前記保温予約時刻となったときに、前記給湯制御手段を作動可能状態にするとともに、前記保温制御の開始を前記給湯制御手段に指示することを特徴とする請求項１から３のうちいずれか１項記載の給湯装置。
【請求項５】
前記給湯制御手段が給湯装置本体に備えられ、前記保温予約制御手段が給湯装置本体から離れた場所に設置されたリモコンに備えられたことを特徴とする請求項１から４のうちいずれか１項記載の給湯装置。
【発明の詳細な説明】
【０００１】
【発明の属する技術の分野】
本発明は、保温制御機能を有する給湯装置における、保温制御実行の予約時刻の設定に関する。
【０００２】
【従来の技術】
従来、ガスバーナにより加熱され、給水管から供給される水を昇温させて給湯管に出湯する熱交換器と、該熱交換器からの給湯温度を検出する給湯温度検出手段と、該給水管を通過する流水の有無を検出する流水センサとを備えた給湯装置において、給湯停止中もガスバーナを間欠的に燃焼させて、熱交換内に滞留した湯の温度を所定温度範囲に保つ、所謂保温制御を行うようにした給湯装置が知られている。
【０００３】
一般の給湯装置においては、使用者が給湯管の先端に接続されたカランを開けて熱交換器への給水が開始されると、流水センサで流水が検出され、この流水の検出に応じてガスバーナの燃焼が開始される。しかし、流水が検出されてから実際にガスバーナの燃焼が開始されるまでには時間遅れを生じる。
【０００４】
そのため、上述した保温制御を行わない場合は、使用者が給湯管の先端に接続されたカランを開けたときに、給湯管内に滞留していた水とガスバーナが燃焼を開始する前に熱交換器内を通過した水が、昇温されることなくそのままカランから供給された後に、カランからの給湯が開始される。
【０００５】
この場合、上述した保温制御を行うことで、使用者がカランを開けたときに供給される水を、給湯管内に滞留していた水のみとすることができるので、使用者がカランを開けてから実際にカランから給湯が開始されるまでの時間を短縮することができる。
【０００６】
このように、保温制御を行うことで使用者の利便性が向上するが、常時保温制御を行うことは燃料費を考えると実用的でない。そこで、予め湯が使用されるであろう時刻（例えば起床時刻等）を予約設定し、その予約した時刻となったときに保温制御を開始することで、効率的に保温制御を行うことが考えられる。
【０００７】
しかし、保温制御を開始する時刻を予約設定するためには、予約を設定するスイッチや、予約が有効であることを示す表示手段等が新たに必要となる。そのため、操作部が大型化して設置スペースが大きくなるとともに、装置コストも上昇するという不都合があった。また、使用者にとっても、スイッチが増えて操作が複雑になるため、操作性が悪くなるという不都合があった。
【０００８】
【発明が解決しようとする課題】
本発明は、上記不都合を解消し、操作部の大型化や装置コストの上昇を抑制して、保温制御の予約実行を容易に行うことのできる給湯装置を提供することを目的とする。
【０００９】
【課題を解決するための手段】
上記目的を達成するため、本発明は、給水管により供給された水を加熱手段により加熱する熱交換器と、該熱交換器でで加熱された湯が出湯される給湯管と、該給湯管から給湯される湯の温度を検出する給湯温度検出手段と、前記熱交換器の出口付近の湯の温度を検出する熱交温度検出手段と、前記給水管を通過する流水の有無を検出する流水センサと、該流水センサにより流水が検出されているときに、前記の給湯温度検出手段の検出温度が所定の給湯設定温度と一致するように前記加熱手段の加熱量を調節する給湯制御と、前記流水センサにより流水が検出されていないときに、前記熱交温度検出手段の検出温度が所定の保温設定温度と一致するように前記加熱手段を作動させる保温制御とを行なう給湯制御手段と、該給湯制御手段を作動可能状態と停止状態とに切り替える運転スイッチと、該給湯制御手段が作動可能状態であるときに、前記給湯制御手段に対して前記保温制御の開始と停止とを指示する保温スイッチとを備えた給湯装置において、前記保温スイッチに、前記給湯制御手段が停止状態であるときに該保温スイッチが操作されたときには、前記保温制御の予約実行を有効とする機能を持たせ、該保温スイッチにより前記保温制御の予約実行が有効とされた後に、前記給湯制御手段を作動可能状態とし、その後所定の保温予約時刻となったときに、前記保温制御の開始を前記給湯制御手段に指示する保温予約制御手段を設けたことを特徴とする。
かかる本発明によれば、前記保温スイッチは、前記給湯制御手段が停止状態にあるときに操作されたときには、前記保温制御の予約実行を有効とする。そのため、新たに前記保温制御の予約実行を有効とするスイッチを設けることなく、前記保温予約制御手段により前記保温制御の予約実行を行うことができる。そしてこの場合、前記保温スイッチを使用して、前記保温制御の開始の指示と同様の操作で前記保温制御の予約実行を有効とすることができるので、使用者の操作性もよい。
【００１０】
また、前記熱交換器で加熱された湯を浴槽に供給する湯張り管と、該湯張り管を介して浴槽に所定量の湯を供給する湯張り制御を行う湯張り制御手段と、所定の湯張り予約時刻となったときに、前記湯張り制御手段に対して前記湯張り制御の開始を指示する湯張り予約制御手段と、前記湯張り予約時刻と前記保温予約時刻とを設定する予約時刻設定スイッチと、前記給湯制御手段が作動状態であるときに操作されたときは、前記予約時刻設定スイッチによる前記湯張り予約時刻の設定を可能とし、前記給湯制御手段が停止状態であるときに操作されたときには、前記予約時刻設定スイッチによる前記保温予約時刻の設定を可能とする予約時刻変更スイッチと、前記給湯制御手段が作動状態であるときは前記湯張り予約時刻を表示し、前記給湯制御手段が停止状態であるときには前記保温予約時刻を表示する予約時刻表示手段とを備えたことを特徴とする。
【００１１】
かかる本発明によれば、前記湯張り予約制御手段により使用される前記湯張り予約時刻と、前記保温予約制御手段により使用される前記保温予約時刻という２種類の予約時刻を、切替スイッチを設けることなく１つの前記予約時刻設定スイッチで設定することができる。
【００１２】
そして、前記湯張り予約時刻と前記保温予約時刻という２種類の予約時刻を、切替スイッチを設けることなく１つの前記予約時刻表示手段に選択的に表示することができる。そのため、スイッチや表示手段の個数を減らすことができ、操作部の大型化を防いで装置コストの削減を図ることができる。そして、前記湯張り予約時刻の設定と同様の操作で、前記保温予約時刻の設定を行うことができるため、使用者の操作性も良い。
【００１３】
また、前記給湯制御手段が作動可能状態であるときは、前記保温スイッチにより前記保温制御の開始指示がなされたときに点灯し、且つ前記保温スイッチにより前記保温制御の停止指示がなされたときに消灯し、また、前記給湯制御手段が停止状態であるときには、前記保温スイッチにより前記保温制御の予約実行が有効とされたときに点灯する保温表示手段を備えたことを特徴とする。
【００１４】
かかる本発明によれば、前記給湯制御手段が動作可能であるときに、前記保温スイッチの操作に応じて点灯又は消灯する前記保温表示手段を、前記保温制御の予約実行が有効であることを示す表示として流用することができる。
【００１５】
また、前記保温予約制御手段は、前記保温予約時刻となったときに、前記給湯制御手段を作動可能状態にするとともに、前記保温制御の開始を前記給湯制御手段に指示することを特徴とする。
【００１６】
かかる本発明によれば、前記給湯制御手段を前記保温予約時刻となるまで停止状態とすることで、省電力を図ることができる。
【００１７】
また、前記給湯制御手段が給湯装置本体に備えられ、前記保温予約制御手段が給湯装置本体から離れた場所に設置されたリモコンに備えられたことを特徴とする。
【００１８】
かかる本発明によれば、前記保温制御の予約実行が有効とされてから、該保温制御の実行が開始されるまでの間、前記給湯装置本体と前記リモコンとの間では、前記給湯制御手段を作動可能状態とする指示と、前記保温制御の実行開始を指示する通信のみを行えばよいので、通信制御を簡素化することができる。
【００１９】
【発明の実施の形態】
本発明の実施の形態の一例を、図１〜図６を参照して説明する。図１は本発明の給湯装置の全体構成図、図２は図１に示した給湯装置に備えられたリモコンの外観図、図３〜図６は図１に示した給湯装置の動作フローチャートである。
【００２０】
図１を参照して、給湯装置１は、給湯部２と、追焚き部３とからなり、コントローラ４により給湯部２と追焚き部３とを制御する構成となっている。
【００２１】
給湯部２は、コントローラ４からの制御信号により作動する給湯バーナ５（本発明の加熱手段に相当）によって加熱される給湯熱交換器６、図示しない水道管と接続されて給湯熱交換器６に給水する給水管７、コントローラ４からの制御信号により給水管７の開度を調節する水量サーボ８、給水される水の温度を検出してコントローラ４に出力する給水温度センサ９、給水管７を通過する流水の有無を検出してコントローラ４に出力する流水センサ１０、給湯熱交換器６で加熱された湯が出湯される給湯管１１、給水管７に給水される水の一部を給湯管１１に混合させるバイパス管１２、コントローラ４からの制御信号によりバイパス管１２の開度を調節するバイパスサーボ１３、給湯管１１とバイパス管１２との合流点の下流の給湯配管２５中の湯の温度を検出してコントローラ４に出力する給湯温度センサ１４（本発明の給湯温度検出手段に相当）、及び給湯熱交換器６の出口付近の湯の温度を検出してコントローラ４に出力する熱交温度センサ１５（本発明の熱交温度検出手段に相当）を備える。
【００２２】
また、給湯バーナ５に燃料ガスを供給するガス供給管１６には、コントローラ４からの制御信号により開閉される元ガス電磁弁１７、及び給湯ガス電磁弁１８，１９と、コントローラ４からの制御信号によりその開度が調節される給湯ガス比例弁２０とが備えられる。
【００２３】
２１は給湯バーナ５に燃焼用空気を供給する給湯燃焼ファンであり、コントローラ４からの制御信号によりその回転速度が可変される。２２はコントローラ４からの制御信号によりイグナイタ２３を介して高電圧が印加され、給湯バーナ５に点火する給湯点火プラグであり、２４は給湯バーナ５の燃焼状態を検出してコントローラ４に出力する給湯フレームロッドである。２７は給湯熱交換器６や給湯管１１内の水圧が所定圧力以上まで上昇したときに開弁して、過剰圧力を逃がす過圧逃し弁である。
【００２４】
一方、追焚き部３は、コントローラ４からの制御信号により作動する風呂バーナ４０によって加熱される風呂熱交換器４１、コントローラ４からの制御信号により浴槽４２内の湯を循環路４３（本発明の湯張り管の一部に相当），風呂熱交換器４１を介して循環させる循環ポンプ４４、浴槽４２内の湯の温度を検出してコントローラ４に出力する風呂温度センサ４５、及び循環路４３中の水流の有無を検出してコントローラ４に出力する水流スイッチ４６を備える。
【００２５】
また、風呂バーナ４０に燃料ガスを供給するガス供給管１６には、コントローラ４からの制御信号により開閉される風呂ガス電磁弁４７と、燃料ガスの供給量を一定に保つためのガスガバナ４８とが備えられる。
【００２６】
４９は風呂バーナ４０に燃焼用空気を供給する風呂燃焼ファンであり、コントローラ４からの制御信号によりその回転速度が可変される。５０はコントローラ４からの制御信号によりイグナイタ２３から高電圧が印加されて、風呂バーナ４０に点火する風呂点火プラグである。５１は風呂バーナ４０の燃焼状態を検出してコントローラ４に出力する風呂フレームロッドである。
【００２７】
また、循環路４３は、コントローラ４からの制御信号により開閉される注湯電磁弁５２，風呂給湯管５３，三方弁５４を介して給湯配管２５と接続される。これにより、注湯電磁弁５２を開弁することで、給湯部２から浴槽４２への給湯路（本発明の湯張り管に相当）が形成されて、給湯が行われる。尚、５６は浴槽４２への給湯流量を検出してコントローラ４に出力する流量センサ、５７は浴槽４２内の湯の水位を静水圧により検出し、コントローラ４に出力する水位センサである。
【００２８】
コントローラ４は、給湯制御手段３１と追焚き制御手段３２と湯張り制御手段３３とを含んで、ＣＰＵ、ＲＯＭ、ＲＡＭ等により構成され、リモコン３０によって指示される各種運転モードに応じて給湯部２と追焚き部３の制御を行う。
【００２９】
次に、図２を参照して、リモコン３０は、給湯装置１全体を運転待機状態と運転停止状態とに切り替える運転スイッチ６０と、浴槽４２に所定湯張り量の給湯をし、該給湯後に所定沸き上げ温度までの追焚きを行う自動運転の開始を指示する自動スイッチ６１と、給湯配管２５への給湯温度を設定する給湯温度スイッチ６２と、内蔵時計の時刻を設定する時計時刻設定モードを指定する時計時刻変更スイッチ６３と、前記自動運転の予約時刻である湯張り予約時刻を設定する予約時刻設定モードを指定する予約時刻変更スイッチ６４と、時計時刻設定モード及び予約時刻設定モードにおいて、各時刻の設定を行う時設定スイッチ６５（本発明の予約時刻設定スイッチに相当），分設定スイッチ６６（本発明の予約時刻設定スイッチに相当）と、前記自動運転の予約を有効とする予約運転スイッチ６７と、給湯熱交換器６内の湯の温度を所定範囲に保つ保温運転の実行を指示する保温スイッチ６８と、給湯温度や時刻等を表示する表示部６９とを有する。
【００３０】
使用者が、リモコン３０の運転スイッチ６０を操作すると、給湯装置１全体が運転待機状態となり、運転スイッチ６０に内蔵された運転ランプ７０が点灯する。この状態で、使用者が給湯配管２５の先端に接続されたカラン２６を開けると、給水管７への給水が開始され、流水センサ１０で流水が検出される。コントローラ４は、流水センサ１０からの出力により、給水管７への給水の開始を認識したときは給湯燃焼ファン２１を作動させ、元ガス電磁弁１７，給湯ガス比例弁２０，給湯ガス電磁弁１８，１９を開弁し、イグナイタ２３に高電圧を印加して給湯点火プラグ２２に火花放電を生じさせて給湯バーナ５の点火処理を行う。
【００３１】
コントローラ４に備えられた給湯制御手段３１は、給湯フレームロッド２４の出力により、給湯バーナ５の点火がなされたことを認識したときは、給湯温度センサ１４の検出温度と、リモコン３０で設定された給湯設定温度とが一致するように、給湯ガス比例弁２０の開度、給湯燃焼ファン２１の回転速度、給湯ガス電磁弁１８，１９の開閉、水量サーボ８の開度、及びバイパスサーボ１３の開度を調節する給湯制御を実行する。これにより、カラン２６から使用者が給湯温度スイッチ６２で設定した温度（本発明の給湯設定温度）の湯が給湯される。
【００３２】
また、使用者が、リモコン３０の自動スイッチ６１を操作すると、コントローラ４は上述した自動運転を開始し、湯張り制御手段３３は、先ず注湯電磁弁５２を開弁する。注湯電磁弁５２の開弁により、給水管７への給水が開始され、上述した使用者がカラン２６を開けたときと同様にして、給湯バーナ５が点火され、給湯管１１から、注湯電磁弁５２、風呂給湯管５３、三方弁５４、及び循環路４３を経由して前記給湯設定温度での給湯が実行される。
【００３３】
湯張り制御手段３３は、流量センサ５６からの出力に基づいて浴槽４２への給湯量を累積し、累積値が前記湯張り量に達した時に、注湯電磁弁５２を閉弁して浴槽４２への所定量の給湯（湯張り）を終了する。
【００３４】
コントローラ４は浴槽４２への湯張り終了後、風呂温度センサ４５の出力により浴槽４２内の湯の温度を検出し、検出温度が前記沸き上げ温度未満であったときには、該沸き上げ温度まで、浴槽４２内の湯を昇温させる。
【００３５】
この昇温を行うため、コントローラ４に備えられた追焚き制御手段３２は、風呂ポンプ４４を作動させて浴槽４２内の湯を循環路４３を介して循環させると共に、風呂燃焼ファン４９を作動させ、元ガス電磁弁１７，風呂ガス電磁弁４７を開弁し、イグナイタ２３を介して風呂点火プラグ５０に高電圧を印加して火花放電を生じさせ、風呂バーナ４０の点火処理を行う。
【００３６】
そして、追焚き制御手段３２は、風呂フレームロッド５１の出力により、風呂バーナ４０の点火がなされたことを認識したときは、風呂温度センサ４５の検出温度が、前記沸き上げ温度に達するまで、風呂バーナ４０の燃焼を継続する。これにより、浴槽４２内の湯が前記沸き上げ温度まで昇温される。
【００３７】
尚、追焚き制御手段３２は、浴槽４２内の湯が前記沸き上げ温度となった後、４時間の間は、浴槽４２内の湯の温度がほぼ該沸き上げ温度に保たれるように、風呂バーナ４０を断続的に燃焼させる風呂保温動作を行う。そして、この風呂保温動作中はリモコン３０の表示部６９に保温マーク７２が表示される。
【００３８】
また、使用者が予約運転スイッチ６７を操作したときは、予約自動運転が有効となり、リモコン３０の表示部６９に予約マーク７１が表示される。そして、リモコン３０に備えられた湯張り予約制御手段３５は、予約時刻変更スイッチ６４及び時スイッチ６５，分スイッチ６６で予め設定された湯張り予約時刻になったときに、コントローラ４に備えられた湯張り制御手段３３に対して、上述した自動運転（浴槽４２への湯張りと追焚き）の実行を指示する。
【００３９】
次に、使用者が保温スイッチ６８を操作したときは、給湯制御手段３１は給湯熱交換器６内の湯の温度を、所定時間の間（例えば１時間）、所定温度範囲内（本発明の保温設定温度に相当）に保つ保温制御を実行する。この保温制御は、使用者がカラン２６を開いてから、実際にカラン２６に給湯されるまでの時間（遅れ時間）を短縮するための処理である。
【００４０】
上述したように、給湯バーナ５が点火されるのは、通常は、流水センサ１０により熱交換器６への給水が開始が認識された時である。そしてこの時、給湯配管２５，給湯管１１，及び熱交換器６には水が滞留した状態にある。そのため、カラン２６から給湯されるのは、給湯配管２５，給湯管１１，及び熱交換器６に滞留していた水が給水された後となる。尚、給湯熱交換器６内の配管の長さは、例えば２．５ｍである。
【００４１】
そこで、予め給湯熱交換器６内の湯を保温しておくことで、給湯が開始される前に給水される水の量を、給湯配管２５と給湯管１１内の滞留分だけに減少することができ、使用者がカラン２６を開いてから、実際に給湯が開始されるまでの遅れ時間を短縮することができる。
【００４２】
また、同様の理由により、前記自動運転を開始したときに、湯張り制御手段により給湯注湯弁５２が開弁されてから、実際に浴槽４２に給湯がなされるまでの遅れ時間も短縮される。
【００４３】
このように保温制御を行うことで、使用者の使い勝手が向上するが、常時保温制御を行うことは、燃料ガスの消費を考えると実用的でないため、本実施の形態の給湯装置１においては、上述したように保温制御の実行時間を、保温スイッチ６８が操作されてから１時間又は給湯が停止されてから１時間に限って保温制御を行っている。
【００４４】
また、図１を参照して、給湯制御手段３１は、リモコン３０に備えられた保温予約制御手段３４からの指示により、保温制御の予約実行を行う。ここで、保温制御の予約実行を行うためには、保温制御の予約を有効としたり、予約時刻を設定するスイッチが必要となる。
【００４５】
しかし、これらのスイッチを新たに設けると、リモコン３０のサイズが大きくなり、装置のコストが上昇するとともに、使用者の操作性も悪くなる。そのため、本実施の形態では、既存のスイッチを保温制御の予約実行を行うためのスイッチとして流用している。
【００４６】
以下、図３〜図６に示したフローチャートを参照して、保温制御の処理内容について説明する。尚、図３，図４は給湯制御手段３１の処理フローチャート、図５，図６はリモコン３０に備えられた保温予約制御手段３４の処理フローチャートである。
【００４７】
図３のＳＴＥＰ１で給湯装置１に電源が投入された後、使用者がリモコン３０の運転スイッチ６０を操作すると、上述したように給湯装置１全体が運転待機状態となり、給湯制御手段３１が作動可能状態となる。給湯制御手段３１は、ＳＴＥＰ２で保温予約制御手段３４から作動開始信号を受信するか、ＳＴＥＰ３で運転スイッチ６０がＯＮ操作されるのを待つ。
【００４８】
ＳＴＥＰ２とＳＴＥＰ２０は、保温予約制御手段３４からの保温制御の予約実行の開始指示を認識するための処理である。給湯制御手段３１は、ＳＴＥＰ２で保温予約制御手段３４から作動開始信号を受信すると作動可能状態となり、ＳＴＥＰ２０に分岐して、自身が作動可能状態であることを認識させるために、保温予約制御手段３４に対して作動可能信号を送信する。そして、ＳＴＥＰ２０からＳＴＥＰ５に進み、ＳＴＥＰ５，ＳＴＥＰ２１，及びＳＴＥＰ２３からなるループのＳＴＥＰ２３で、保温予約制御手段３４からの保温開始信号を受信すると、給湯制御手段３４は、ＳＴＥＰ７に進んで保温制御を開始する。
【００４９】
また、ＳＴＥＰ３で運転スイッチ６０がＯＮ操作されたとき（このとき運転スイッチ６０に内蔵された運転ランプ７０が点灯する）は、ＳＴＥＰ４に進み、ＳＴＥＰ４で保温フラグＦがセット（＝１）されていたときはＳＴＥＰ６に分岐し、保温フラグＦがリセット（＝０）されていたときにはＳＴＥＰ５に進んで、ＳＴＥＰ５，ＳＴＥＰ２１のループで保温スイッチ６８のＯＮ操作と運転スイッチ６０のＯＦＦ操作待ちとなる。
【００５０】
尚、保温フラグＦは、保温制御の実行中に運転スイッチ６０がＯＦＦ操作されたときに、保温制御が中断されたことを記憶保持し、その後運転スイッチ６０がＯＮ操作されたときに、保温制御を再開するためのものである。ＳＴＥＰ３で運転スイッチ６０がＯＮ操作されたときに、保温フラグＦがセットされていたときには、ＳＴＥＰ４からＳＴＥＰ６に分岐するため、保温スイッチ６８のＯＮ操作を待つことなく、ＳＴＥＰ７で保温制御を再開することができる。
【００５１】
ＳＴＥＰ２１で運転スイッチ６０がＯＦＦ操作されると、ＳＴＥＰ２２で保温フラグＦがリセット（＝０）されて給湯制御手段３１は停止状態となり、ＳＴＥＰ２に進んで、運転スイッチ６０のＯＮ操作待ちとなる。
【００５２】
また、ＳＴＥＰ５で保温スイッチ６８がＯＮ操作されると、ＳＴＥＰ６に進み、給湯制御手段３１は、保温スイッチ６８に内蔵された保温ランプ７３を点灯して、ＳＴＥＰ７で保温制御を開始し、ＳＴＥＰ８で１時間タイマを稼動する。
【００５３】
そして、給湯制御手段３１は、ＳＴＥＰ１１で１時間タイマがタイムアップするまでの間、保温制御を続行する。尚、保温制御実行中に、熱交温度センサ１５による検出温度が前記保温開始温度以上となったときは、リモコン３０の表示部６９にＯＫマーク７４が表示される。
【００５４】
保温制御の実行中にＳＴＥＰ９で運転スイッチ６０がＯＦＦ操作されたとき（このとき、運転スイッチに内蔵された運転ランプ７０が消灯する）は、ＳＴＥＰ２４に分岐して、給湯制御手段３１は、ＳＴＥＰ２４で保温フラグＦをセット（＝１）し、ＳＴＥＰ２５で保温制御を終了する。そして、ＳＴＥＰ２６で保温スイッチ６８に内蔵された保温ランプ７３を消灯してＳＴＥＰ２に戻る。
【００５５】
また、保温制御の実行中にＳＴＥＰ１０で保温スイッチがＯＦＦ操作されたときは、ＳＴＥＰ３０に分岐して保温制御を終了し、ＳＴＥＰ３１で保温スイッチに６８に内蔵された保温ランプ７３を消灯してＳＴＥＰ５に戻る。
【００５６】
給湯制御手段３１は、ＳＴＥＰ１１で１時間タイマがタイムアップし、ＳＴＥＰ１２で保温制御を終了したときは、ＳＴＥＰ１３でリモコン３０の表示部６９のＯＫマーク７４の表示を消灯する。
【００５７】
そして、ＳＴＥＰ１４〜ＳＴＥＰ１６のループを実行し、ＳＴＥＰ１４で運転スイッチ６０がＯＦＦ操作されたときは、ＳＴＥＰ３２に分岐して保温フラグＦをセットしてＳＴＥＰ２に戻る。また、ＳＴＥＰ１５で保温スイッチ６８がＯＦＦ操作されたときには、ＳＴＥＰ３４に分岐して保温スイッチ６８に内蔵された保温ランプ７３を消灯してＳＴＥＰ５に戻る。
【００５８】
また、ＳＴＥＰ１６で流水センサ１０の出力から、給湯栓２６が開閉されたことを検知したとき、即ち使用者が湯を使用したことを検知したときには、使用者が継続して湯を使用する可能性が高いため、給湯制御手段３１はＳＴＥＰ７に分岐して再び保温制御を開始する。
【００５９】
次に、図５，図６を参照して、リモコン３０に備えられた保温予約制御手段３４の動作について説明する。保温予約制御手段３４は、運転スイッチ６０がＯＦＦ状態であり、給湯制御手段３１が停止状態であるときにのみ作動する。そのため、図５のＳＴＥＰ５０で運転スイッチ６０がＯＦＦ操作されるのを待つ。
【００６０】
そして、運転スイッチ６０がＯＦＦされると、ＳＴＥＰ５１に進み、ＳＴＥＰ５１，ＳＴＥＰ６０，及びＳＴＥＰ６１からなるループを実行して、保温スイッチ６８のＯＮ操作、予約時刻変更スイッチ６４のＯＮ操作、及び運転スイッチ６０のＯＮ操作のいずれかがなされるのを待つ。
【００６１】
ＳＴＥＰ５１で保温スイッチ６８がＯＮ操作されたときは、保温予約制御手段３４は、ＳＴＥＰ５２に進んで保温スイッチ６８に内蔵された保温ランプ７３を点灯して、保温制御の予約が有効となったことを表示し、ＳＴＥＰ５３，ＳＴＥＰ６２，及びＳＴＥＰ６４からなるループを実行して、ＳＴＥＰ５３で現在時刻が保温予約時刻−１分となるのを待つ。
【００６２】
尚、ＳＴＥＰ５３で、保温予約時刻ではなく、保温予約時刻の１分前となるのを待つのは、保温予約時刻に先立って保温制御を開始することで、保温予約時刻となったときに給湯熱交換器６内に滞留した湯が昇温された状態となっているようにするためである。（この場合、保温予約時刻−１分が本発明の保温予約時刻に相当する。）
そして、現在時刻が保温予約時刻−１分となったときに、保温予約制御手段３４は、ＳＴＥＰ５４に進んで給湯制御手段３１に作動開始信号を送信する。図３を参照して、上述したように、給湯制御手段３１は、ＳＴＥＰ２でこの作動開始信号を受信すると、作動可能状態となったことを示す作動可能信号を保温予約制御手段３４に対して送信する。
【００６３】
図５を参照して、保温予約制御手段３４は、ＳＴＥＰ５５でこの作動可能信号を受信すると、ＳＴＥＰ５６に進んで、給湯制御手段３１に対して保温開始信号を送信する。そして、図３を参照して、給湯制御手段３１は、ＳＴＥＰ２１でこの保温開始信号を受信すると、ＳＴＥＰ７に進んで保温制御を開始する。
【００６４】
以上の処理により、保温制御の予約実行が行われる。そして、この保温制御の予約実行は、保温スイッチ６８の操作により有効となるため、保温制御の予約実行を有効とするためのスイッチを新たに設ける必要がない。また、運転スイッチ６０がＯＮ操作された状態では、保温制御の開始を指示する保温スイッチ６８の操作により保温制御の予約実行を有効とすることができるため、使用者の操作性が良い。
【００６５】
さらに、予約時刻の管理はリモコン３０に設けられた保温予約制御手段３４により行われ、リモコン３０とコントローラ４との間では、給湯制御手段の作動開始と保温制御の開始とを指示する通信のみを行えばよい。そのため、保温制御の予約実行を行う際の通信処理を簡素化することができる。
【００６６】
尚、ＳＴＥＰ６２で保温スイッチ６８がＯＦＦ操作されたときは、保温予約制御手段３４はＳＴＥＰ６３で保温スイッチ６８に内蔵された保温ランプ７３を消灯してＳＴＥＰ５０に進み、保温制御の予約実行を無効とする。
【００６７】
また、ＳＴＥＰ６４で、運転スイッチ６０がＯＮ操作されたときは、保温予約制御手段３４は、保温制御の予約実行を中止し、ＳＴＥＰ６５に進んで給湯制御手段３１に保温開始信号を送信することで、保温制御の開始を指示する。図３を参照して、運転スイッチ６０がＯＮ操作されたときは、給湯制御手段３１はＳＴＥＰ５，ＳＴＥＰ２１及びＳＴＥＰ２３からなるループを実行する。このとき、保温開始信号を受信すると、給湯制御手段３１はＳＴＥＰ２３からＳＴＥＰ７に進んで保温制御を実行する。
【００６８】
次に、ＳＴＥＰ５１，ＳＴＥＰ６０及びＳＴＥＰ６１からなるループの実行中に、リモコン３０の予約時刻変更スイッチ６４がＯＮ操作されたときは、保温予約制御手段３４はＳＴＥＰ７０に進んで、通常は現在時刻を表示するリモコン３０の表示部６９に保温予約時刻を表示し、保温予約時刻の変更処理を可能とする。
【００６９】
この状態で、使用者が時設定スイッチ６５又は分設定スイッチ６６を操作すると、操作に応じて表示部６９の保温予約時刻の表示が変化する。そして、使用者が予約時刻変更スイッチ６４をＯＦＦ操作すると、保温予約制御手段３４は、ＳＴＥＰ７１からＳＴＥＰ７２に進み、保温予約時刻が変更されたときはＳＴＥＰ７２からＳＴＥＰ７３に進んで、それまで保持していた保温予約時刻を、表示部６９に表示された保温予約時刻に変更する。そして、ＳＴＥＰ７４で、保温予約制御手段３４は、表示部６９の時刻表示を保温予約時刻から現在時刻に切り替えて保温予約時刻の変更処理を終了する。
【００７０】
このように、本実施の形態によれば、通常の運転スイッチ６０がＯＮ操作された状態では、上述した湯張り予約時刻の変更に使用される予約時刻変更スイッチ６４、時設定スイッチ６５、分設定スイッチ６６、及び表示部６９を流用して保温予約時刻を変更することができるので、保温予約時刻を変更するための専用のスイッチや表示部を設ける必要がない。そして、湯張り予約時刻の変更と同様の操作で保温予約時刻を変更することができるため、使用者の操作性が良い。
【００７１】
尚、本実施の形態においては、図５を参照して、保温予約制御手段３４はＳＴＥＰ５３で現在時刻が予約設定時刻−１分となったときに、ＳＴＥＰ５４で作動開始信号を送信するようにしたが、作動開始信号の送信時期はこれに限られず、例えばＳＴＥＰ５１で保温スイッチ６８がＯＮ操作されたことを認識したときに、作動開始信号を送信するようにしてもよい。
【００７２】
また、本実施の形態では、保温の状態を示すために保温ランプ７３とＯＫマーク７４とを別個に設けたものを示したが、２色発光タイプのＬＥＤを１個設け、該ＬＥＤの発光色を変化させることにより保温の状態を示すようにしてもよい。
【００７３】
また、本実施の形態では、バイパス管１２を備えたものを示したが、バイパス管がない給湯装置であってもよい。この場合は、熱交換器の出口側に温度センサを１つ設け、該温度センサに本発明の給湯温度検出手段としての機能と、本発明の熱交温度検出手段としての機能を持たせるようにしてもよい。
【００７４】
また、本実施の形態では、加熱手段としてガスバーナを用いた給湯装置を示したが、灯油バーナ等の他の種類の加熱手段を用いた給湯装置に対しても本発明の適用が可能である。
【図面の簡単な説明】
【図１】本発明の給湯装置の全体構成図。
【図２】図１に示した給湯装置に備えられたリモコンの外観図。
【図３】図１に示した給湯装置の動作フローチャート。
【図４】図１に示した給湯装置の動作フローチャート。
【図５】図１に示した給湯装置の動作フローチャート。
【図６】図１に示した給湯装置の動作フローチャート。
【符号の説明】
１…給湯装置、２…給湯部、３…追焚き部、４…コントローラ、５…給湯バーナ、６…給湯熱交換器、７…給水管、８…水量サーボ、９…給水温度センサ、１０…流水センサ、１１…給湯管、１２…バイパス管、１３…バイパスサーボ、１４…給湯温度センサ、１５…熱交温度センサ、１６…ガス供給管、１７…元ガス電磁弁、１８，１９…給湯ガス電磁弁、２０…給湯ガス比例弁、２１…給湯燃焼ファン、２２…給湯点火プラグ、２３…イグナイタ、２４…給湯フレームロッド、２５…給湯配管、２６…カラン、２７…過圧逃し弁、３０…リモコン、３１…給湯制御手段、３２…追焚き制御手段、３３…湯張り制御手段、３４…保温予約制御手段、３５…湯張り予約制御手段、４０…風呂バーナ、４１…風呂熱交換器、４２…浴槽、４３…循環路、４４…循環ポンプ、４５…風呂温度センサ、４６…水流スイッチ、４７…風呂ガス電磁弁、４８…風呂ガスガバナ、４９…風呂燃焼ファン、５０…風呂点火プラグ、５１…風呂フレームロッド、５２…注湯電磁弁、５３…風呂給湯管、５４…三方弁、５６…流量センサ、５７…水位センサ
【図１】
0003727465.tif 000002
【図２】
0003727465.tif 000003
【図３】
0003727465.tif 000004
【図４】
0003727465.tif 000005
【図５】
0003727465.tif 000006
【図６】
0003727465.tif 000007